(57)【特許請求の範囲】
【請求項１】
給湯器の熱源装置に信号接続されて屋内に配置されるリモコン装置であって、該リモコン装置の配置場所に震源地で発生した地震が到達する前に発信される緊急地震速報の受信を検知する速報受信検知部を有し、該速報受信検知部が前記緊急地震速報の受信を検知したときには前記緊急地震速報が発せられたことを予め設定された音声と表示の少なくとも音声を含む設定態様でまもなく大きな地震がくる旨の音声を伴って報知する地震速報報知手段が設けられているとともに、前記リモコン装置の運転をオン、オフする運転スイッチが設けられ、該運転スイッチがオフの状態のときに速報受信検知部が緊急地震速報の受信を検知したときにも前記地震速報報知手段による緊急地震速報の前記報知を強制的に行う強制報知手段が設けられているとともに、予め設定された設定音声ガイダンスの発信指令を受けて前記設定音声ガイダンスの発信を行うガイダンス発信手段を有し、地震速報報知手段は速報受信検知部が緊急地震速報の受信を検知したときには予め設定されたまもなく大きな地震がくる旨の地震速報音声ガイダンスを前記ガイダンス発信手段により発信する構成を有し、該ガイダンス発信手段によって発信する設定音声ガイダンスの発信音量を設定するガイダンス音量入力設定部が設けられており、該ガイダンス音量入力設定部によって前記設定音声ガイダンスの発信音量が消音または低音量レベルに設定されていたときに速報受信検知部が緊急地震速報の受信を検知したときには、前記設定音声ガイダンスの発信音量を強制的にそれよりも大きくして前記ガイダンス発信手段による地震速報音声ガイダンスの発信を行わせる強制音声音量アップ手段が設けられており、さらに、前記ガイダンス発信手段が地震速報音声ガイダンス以外の設定音声ガイダンスを発信している途中または前記ガイダンス発信手段が設定音声ガイダンスの発信指令を受けて前記設定音声ガイダンスの発信を行う直前に、速報受信検知部が緊急地震速報の受信を検知したときには、前記ガイダンス発信手段の前記設定音声ガイダンスの発信を停止させて前記ガイダンス発信手段により地震速報音声ガイダンスを発信させる地震速報優先発信制御部を有し、前記設定音声ガイダンスは前記給湯器の動作状態と給湯関連情報における設定値の変更情報との少なくとも一方を報知するための音声ガイダンスであり、前記地震速報音声ガイダンスはまもなく大きな地震がくる旨の音声ガイダンスであり、前記地震速報音声ガイダンスと設定音声ガイダンスとのガイダンスの内容は予めメモリに格納されていて、前記地震速報報知手段と前記ガイダンス発信手段はそれぞれ前記メモリから対応するガイダンスの内容を読み出して、その読み出したガイダンスの内容を音声によって発信する構成としたことを特徴とするリモコン装置。
【請求項２】
設定音声ガイダンスの発信音量は段階的に異なる複数のレベルにより与えられており、地震速報音声ガイダンスの発信音量を前記レベルの内の最大レベルに設定して前記地震速報音声ガイダンスをガイダンス発信手段により発信させる音量レベル制御手段を有することを特徴とする請求項１記載のリモコン装置。
【請求項３】
地震速報音声ガイダンスの発信音量は、該地震速報音声ガイダンス以外の設定音声ガイダンスの最大発信音量よりも大きい専用発信音量に設定されており、地震速報報知手段は地震速報音声ガイダンスを前記専用発信音量でガイダンス発信手段により発信させることを特徴とする請求項１または請求項２記載のリモコン装置。
【請求項４】
地震速報音声ガイダンスの発信音質は該地震速報音声ガイダンス以外の設定音声ガイダンスの発信音質とは異なる専用発信音質に設定されており、地震速報報知手段は地震速報音声ガイダンスを前記専用発信音質でガイダンス発信手段により発信させることを特徴とする請求項１乃至請求項３のいずれか一つに記載のリモコン装置。
【請求項５】
地震速報報知手段はガイダンス発信手段による地震速報音声ガイダンスの発信を予め設定された複数の設定回数だけ繰り返し行わせることを特徴とする請求項１乃至請求項４のいずれか一つに記載のリモコン装置。
【請求項６】
設定音声ガイダンスの発信音量は段階的に異なる複数のレベルにより与えられており、地震速報音声ガイダンスの発信を固定のレベルで行う代わりに前記地震速報音声ガイダンス発信の繰り返し回数が増える毎に前記発信音量を大きいレベルにして発信させる音量レベル可変制御手段を有することを特徴とする請求項５記載のリモコン装置。
【請求項７】
リモコン装置の運転をオン、オフする運転スイッチを含む１つ以上のスイッチが設けられて、これらのスイッチの１つ以上にランプが設けられており、地震速報報知手段は前記ランプのうち予め定められた１つ以上のランプの点滅を行わせて緊急地震速報が発せられたことを報知するランプ点滅制御手段を有することを特徴とする請求項１乃至請求項６のいずれか一つに記載のリモコン装置。
【請求項８】
情報を表示する表示部を有し、地震速報報知手段は緊急地震速報が発せられたことの表示を前記表示部による表示により報知する表示制御部を有することを特徴とする請求項１乃至請求項７のいずれか一つに記載のリモコン装置。
【請求項９】
緊急地震速報が発せられたことの表示は「地震」に関する文字を含む予め定められたメッセージ表示により行う構成と成し、該メッセージ表示中の「地震」に関する文字をその他の文字より大きく表示することと太く表示することの少なくとも一方を含む態様で強調して表示することを特徴とする請求項８記載のリモコン装置。
【発明の詳細な説明】
【技術分野】
【０００１】
本発明は、例えば給湯器等の熱源装置に接続されて用いられ、緊急地震情報を報知可能なリモコン装置に関するものである。
【背景技術】
【０００２】
浴槽への自動湯張り機能を備えた給湯器等の熱源装置には、熱源装置を遠隔操作するリモコン装置が信号接続され、浴室や台所に設置されている。これら浴室配置のリモコン装置と台所配置のリモコン装置は、一般に、熱源装置の制御基板（制御装置）を介して信号接続されている。リモコン装置には、情報を表示する表示画面が設けられており、この表示画面に、給湯や湯張りの設定温度、浴槽水位等の給湯関連情報等の情報表示を行うことが一般に行なわれている。
【０００３】
また、例えば熱源装置が浴槽への自動湯張り機能を有している場合に、湯張りが終了したときに、リモコン装置から、「お風呂が沸きました」といった音声ガイダンスを発信する機能を備えたリモコン装置も実用化されている。このように、リモコン装置から音声ガイダンスを発信すると、入浴のタイミングを知ることができ、利用者に快適な入浴を促すことができる（例えば、特許文献１、参照）。
【０００４】
また、音声ガイダンスを発信する機能を備えたリモコン装置においては、例えば、台所配置のリモコン装置の操作が行われて、給湯設定温度が変更された時に、「給湯設定温度が２度低く変更されました」といったような音声ガイダンスが、台所配置のリモコン装置と浴室配置のリモコン装置の両方から出力されることから、例えば給湯器を家族で利用している場合に、その一人が入浴中に、別の人が台所配置のリモコン装置を操作した場合でも、浴室の利用者がリモコン装置の操作内容（この場合、給湯設定温度の変更）を知ることができ、給湯器等の熱源装置の使い勝手を良くすることができる。
【０００５】
【特許文献１】特開２００５−２３３４４２号公報
【発明の開示】
【発明が解決しようとする課題】
【０００６】
ところで、近年、図８に示すような、緊急地震速報の配信システムが提案され、一部、実用化されている。緊急地震速報は、地震の発生直後に、震源に近い地震計でとらえた観測データを解析して震源や地震の規模（マグニチュード）を直ちに推定し、これに基づいて各地での主要動の到達時刻や震度を推定し、可能な限り速く知らせる情報であり、この情報は、同図に示すように、気象庁４０から発信される。そして、この緊急地震速報は、例えばREIC（地震速報連絡協議会）４１等を介してNTT（日本電信電話株式会社）４２に伝えられ、電話回線４３を通して、放送局等の屋内に配置された受信機４４により受信される。
【０００７】
受信機４４は、放送局の他、鉄道関連会社、役所等の、緊急地震速報をいち早く受信し、対処することが必要な公共性を有する所に設けられている。また、最近では、受信機４４をマンション等の集合住宅の管理室等に設けることが検討され、実際に設置されているところもある。一方、２００７年の秋からは、テレビの画面等に緊急地震速報を表示することにより、緊急地震速報を各家庭等に提供する計画も成されている。
【０００８】
しかしながら、多くの人は、一日中テレビを見ていることはなく、テレビの画面に緊急地震速報を表示しても、緊急地震速報の提供時にテレビを見ていなければ、緊急地震速報を知ることはできない。地震は、何時起こるか分からないものであり、せめて、家等の屋内にいるときに、もっと確実に緊急地震速報を知ることができれば、地震に対する対処がしやすく、安全性が高まるはずである。そこで、本発明者は、給湯器の遠隔操作用等に浴室や台所に設けられているリモコン装置を利用できないかと考えた。
【０００９】
本発明は、上記本発明者の考えに基づいてなされたものであり、その目的は、緊急地震速報が発信されたときに、その緊急地震速報を屋内にいる人が知ることができるようにするリモコン装置を提供することにある。
【課題を解決するための手段】
【００１０】
本発明は上記目的を達成するために、次の構成をもって課題を解決する手段としている。すなわち、第１の発明は、給湯器の熱源装置に信号接続されて屋内に配置されるリモコン装置であって、該リモコン装置の配置場所に震源地で発生した地震が到達する前に発信される緊急地震速報の受信を検知する速報受信検知部を有し、該速報受信検知部が前記緊急地震速報の受信を検知したときには前記緊急地震速報が発せられたことを予め設定された音声と表示の少なくとも音声を含む設定態様でまもなく大きな地震がくる旨の音声を伴って報知する地震速報報知手段が設けられているとともに、前記リモコン装置の運転をオン、オフする運転スイッチが設けられ、該運転スイッチがオフの状態のときに速報受信検知部が緊急地震速報の受信を検知したときにも前記地震速報報知手段による緊急地震速報の前記報知を強制的に行う強制報知手段が設けられているとともに、予め設定された設定音声ガイダンスの発信指令を受けて前記設定音声ガイダンスの発信を行うガイダンス発信手段を有し、地震速報報知手段は速報受信検知部が緊急地震速報の受信を検知したときには予め設定されたまもなく大きな地震がくる旨の地震速報音声ガイダンスを前記ガイダンス発信手段により発信する構成を有し、該ガイダンス発信手段によって発信する設定音声ガイダンスの発信音量を設定するガイダンス音量入力設定部が設けられており、該ガイダンス音量入力設定部によって前記設定音声ガイダンスの発信音量が消音または低音量レベルに設定されていたときに速報受信検知部が緊急地震速報の受信を検知したときには、前記設定音声ガイダンスの発信音量を強制的にそれよりも大きくして前記ガイダンス発信手段による地震速報音声ガイダンスの発信を行わせる強制音声音量アップ手段が設けられており、さらに、前記ガイダンス発信手段が地震速報音声ガイダンス以外の設定音声ガイダンスを発信している途中または前記ガイダンス発信手段が設定音声ガイダンスの発信指令を受けて前記設定音声ガイダンスの発信を行う直前に、速報受信検知部が緊急地震速報の受信を検知したときには、前記ガイダンス発信手段の前記設定音声ガイダンスの発信を停止させて前記ガイダンス発信手段により地震速報音声ガイダンスを発信させる地震速報優先発信制御部を有し、前記設定音声ガイダンスは前記給湯器の動作状態と給湯関連情報における設定値の変更情報との少なくとも一方を報知するための音声ガイダンスであり、前記地震速報音声ガイダンスはまもなく大きな地震がくる旨の音声ガイダンスであり、前記地震速報音声ガイダンスと設定音声ガイダンスとのガイダンスの内容は予めメモリに格納されていて、前記地震速報報知手段と前記ガイダンス発信手段はそれぞれ前記メモリから対応するガイダンスの内容を読み出して、その読み出したガイダンスの内容を音声によって発信する構成とした構成をもって課題を解決する手段としている。
【００１４】
さらに、第２の発明は、前記第１の発明の構成に加え、前記設定音声ガイダンスの発信音量は段階的に異なる複数のレベルにより与えられており、地震速報音声ガイダンスの発信音量を前記レベルの内の最大レベルに設定して前記地震速報音声ガイダンスをガイダンス発信手段により発信させる音量レベル制御手段を有することを特徴とする。
【００１５】
さらに、第３の発明は、前記第１または第２の発明の構成に加え、前記地震速報音声ガイダンスの発信音量は、該地震速報音声ガイダンス以外の設定音声ガイダンスの最大発信音量よりも大きい専用発信音量に設定されており、地震速報報知手段は地震速報音声ガイダンスを前記専用発信音量でガイダンス発信手段により発信させることを特徴とする。
【００１６】
さらに、第４の発明は、前記第１乃至第３のいずれか一つの発明の構成に加え、前記地震速報音声ガイダンスの発信音質は該地震速報音声ガイダンス以外の設定音声ガイダンスの発信音質とは異なる専用発信音質に設定されており、地震速報報知手段は地震速報音声ガイダンスを前記専用発信音質でガイダンス発信手段により発信させることを特徴とする。
【００１７】
さらに、第５の発明は、前記第１乃至第４のいずれか一つの発明の構成に加え、前記地震速報報知手段はガイダンス発信手段による地震速報音声ガイダンスの発信を予め設定された複数の設定回数だけ繰り返し行わせることを特徴とする。
【００１８】
さらに、第６の発明は、前記第５の発明の構成に加え、前記設定音声ガイダンスの発信音量は段階的に異なる複数のレベルにより与えられており、地震速報音声ガイダンスの発信を固定のレベルで行う代わりに前記地震速報音声ガイダンス発信の繰り返し回数が増える毎に前記発信音量を大きいレベルにして発信させる音量レベル可変制御手段を有することを特徴とする。
【００１９】
さらに、第７の発明は、前記第１乃至第６のいずれか一つの発明の構成に加え、リモコン装置の運転をオン、オフする運転スイッチを含む１つ以上のスイッチが設けられて、これらのスイッチの１つ以上にランプが設けられており、地震速報報知手段は前記ランプのうち予め定められた１つ以上のランプの点滅を行わせて緊急地震速報が発せられたことを報知するランプ点滅制御手段を有することを特徴とする。
【００２０】
さらに、第８の発明は、前記第１乃至第７のいずれか一つの発明の構成に加え、情報を表示する表示部を有し、地震速報報知手段は緊急地震速報が発せられたことの表示を前記表示部による表示により報知する表示制御部を有することを特徴とする。
【００２１】
さらに、第９の発明は、前記第８の発明の構成に加え、前記緊急地震速報が発せられたことの表示は「地震」に関する文字を含む予め定められたメッセージ表示により行う構成と成し、該メッセージ表示中の「地震」に関する文字をその他の文字より大きく表示することと太く表示することの少なくとも一方を含む態様で強調して表示することを特徴とする。
【発明の効果】
【００２２】
本発明のリモコン装置は、熱源装置に信号接続されて屋内に配置されており、このリモコン装置が、緊急地震速報の受信を検知する速報受信検知部を有し、該速報受信検知部が前記緊急地震速報の受信を検知したときには前記緊急地震速報が発せられたことを予め設定された音声と表示の少なくとも音声を含む設定態様でまもなく大きな地震がくる旨の発声を伴って報知する地震速報報知手段が設けられているので、例えばテレビ等のように、屋内にいる人が、故意に操作して見聞きしなくても、緊急地震速報が発信されたときに、その緊急地震速報を屋内にいる人に知らせることができ、その人がまもなく大きな地震がくる旨の緊急地震速報を知ることができる。
【００２３】
また、本発明のリモコン装置は、例えば台所リモコン装置や風呂リモコン装置、冷暖房用のリモコン装置等、家庭用や業務用として、熱源装置が必要とされる場所に、必然的に屋内配置されるリモコン装置であるので、このリモコン装置に前記地震速報報知手段を設けることにより、緊急地震速報を報知するための専用の装置を必要とせず、緊急地震速報を屋内にいる人に知らせることができるという利点を有する。
【００２４】
また、本発明において、リモコン装置の運転をオン、オフする運転スイッチがオフの状態のときに速報受信検知部が緊急地震速報の受信を検知したときにも地震速報報知手段による緊急地震速報の報知を強制的に行う強制報知手段が設けられているので、たとえ利用者がリモコン装置の運転スイッチをオフとしていても、緊急地震速報を報知できるので、より一層確実に緊急地震速報を利用者に知らせることができる。
【００２５】
さらに、本発明は、予め設定された設定音声ガイダンスの発信指令を受けて前記設定音声ガイダンスの発信を行うガイダンス発信手段を有して、緊急地震速報を音声ガイダンスにより発信する構成を有し、ガイダンス発信手段により発信する発信音量が消音または低音量レベルに設定されていたときに、速報受信検知部が緊急地震速報の受信を検知したときには、設定音声ガイダンスの発信音量を強制的にそれよりも大きくして前記ガイダンス発信手段による地震速報音声ガイダンスの発信を行わせるため、たとえ利用者がガイダンス発信手段の発信音量を消音または低音量レベルに設定していても、その音量を強制的に大きくしてまもなく大きな地震がくる旨の緊急地震速報を報知できるので、より一層確実に緊急地震速報を利用者に知らせることができる。
【００２６】
さらに、本発明においては、ガイダンス発信手段が地震速報音声ガイダンス以外の設定音声ガイダンスを発信している途中または前記ガイダンス発信手段が設定音声ガイダンスの発信指令を受けて前記設定音声ガイダンスの発信を行う直前に、速報受信検知部が緊急地震速報の受信を検知したときには、地震速報報知手段は前記ガイダンス発信手段の前記設定音声ガイダンスの発信を停止させて前記ガイダンス発信手段により地震速報音声ガイダンスを発信させるもので、たとえ地震速報音声ガイダンス以外の設定音声ガイダンスの発信途中でも、発信しようとしているタイミングでも、緊急地震速報を即座に報知して利用者に知らせることができる。
【００２７】
さらに、ガイダンス発信手段を有する本発明において、設定音声ガイダンスの発信音量が段階的に異なる複数のレベルにより与えられて、そのレベルの内の最大レベルに設定して地震速報音声ガイダンスを発信させる構成によれば、地震速報音声ガイダンスを発信音量の最大レベルで発信できるので、例えば利用者がシャワー等を用いていて音声が聞こえにくい状態の時でも、緊急地震速報を利用者に確実に知らせることができる。
【００２８】
さらに、ガイダンス発信手段を有する本発明において、地震速報音声ガイダンスの発信音量を、該地震速報音声ガイダンス以外の設定音声ガイダンスの最大発信音量よりも大きい専用発信音量に設定して発信させる構成によれば、地震速報音声ガイダンスを発信音量の最大レベルより大きい専用発信音量で発信できるので、例えば利用者がシャワー等を用いていて音声が聞こえにくい状態の時でも、緊急地震速報を利用者により一層確実に知らせることができる。
【００２９】
さらに、ガイダンス発信手段を有する本発明において、地震速報音声ガイダンスは、その発信音質が該地震速報音声ガイダンス以外の設定音声ガイダンスの発信音質とは異なる専用発信音質に設定されて、この専用発信音質でガイダンス発信手段により発信させる構成によれば、地震速報音声ガイダンスをそれ以外のガイダンスの発信音質と異なる音質で発信できるので、地震速報音声ガイダンスの発信時に利用者の注意を促すことができ、緊急地震速報を利用者が聞き流すことを防止でき、より一層確実に知らせることができる。
【００３０】
さらに、ガイダンス発信手段を有する本発明において、地震速報報知手段はガイダンス発信手段による地震速報音声ガイダンスの発信を予め設定された複数の設定回数だけ繰り返し行わせる構成によれば、地震速報音声ガイダンスを繰り返し発信することにより、利用者により一層確実に緊急地震速報を知らせることができる。
【００３１】
さらに、ガイダンス発信手段を有して地震速報音声ガイダンスを繰り返し発信する本発明において、地震速報音声ガイダンス発信の繰り返し回数が増える毎に前記発信音量を大きいレベルにして発信させる音量レベル可変制御手段を有するものにおいては、地震速報音声ガイダンスを段階的に大きいレベルで発信することによって、利用者により一層確実に緊急地震速報を知らせることができる。
【００３２】
さらに、本発明において、リモコン装置に設けられる１つ以上のスイッチの１つ以上にランプが設けられており、地震速報報知手段は前記ランプのうち予め定められた１つ以上のランプの点滅を行わせて緊急地震速報が発せられたことを報知する構成によれば、ランプの点滅により、たとえ利用者が耳の聞こえにくい人であっても、緊急地震速報の受信を知らせることができるし、耳の聞こえのよい人であっても、視覚によって緊急地震速報の受信を知らせることができる。
【００３３】
さらに、本発明において、情報を表示する表示部を有し、地震速報報知手段は緊急地震速報が発せられたことの表示を前記表示部による表示により報知する表示制御部を有するものによれば、表示により、たとえ利用者が耳の聞こえにくい人であっても、緊急地震速報を知らせることができるし、耳の聞こえのよい人であっても、視覚によって緊急地震速報の発信を知らせることができる。
【００３４】
さらに、緊急地震速報が発せられたことを表示部に表示して報知する本発明において、緊急地震速報が発せられたことの表示は「地震」に関する文字を含む予め定められたメッセージ表示により行う構成と成し、前記メッセージ表示中の「地震」に関する文字をその他の文字より大きく表示することと太く表示することの少なくとも一方を含む態様で強調して表示するものによれば、地震の文字を強調表示することにより、緊急地震速報の発信を、視覚によって利用者により一層確実に知らせることができ、また、それに対するより迅速な対処を促すことができる。
【発明を実施するための最良の形態】
【００３５】
以下、本発明の実施の形態を図面に基づき説明する。図７は本発明に係る一実施形態例のリモコン装置と、熱源装置との配置例を示しており、リモコン装置は風呂リモコン装置１および台所リモコン装置２であり、熱源装置は給湯器２７である。風呂リモコン装置１は屋内の浴室に設置されており、台所リモコン装置２は屋内の台所に設置されている。これらのリモコン装置１，２は、給湯器２７の制御装置３に信号接続されて給湯器２７の遠隔操作を行うものである。
【００３６】
給湯器２７は、建物の外に配置されており、給湯機能と、浴槽２６への自動湯張り機能と、追い焚き機能と、足し湯機能と、ぬる湯機能とを具備する。本実施形態においては、風呂リモコン装置１と台所リモコン装置２は、２芯の信号線を用いて、給湯器２７の回路、つまり、給湯器２７の燃焼制御回路に接続されている。室内には浴槽２６が設置され、給湯器２７と浴槽２６とは、追い焚き循環路２５の戻り管２３と往管２４によって配管接続されている。
【００３７】
風呂リモコン装置１は浴槽２６の近くの浴室側壁に設置されるが、その設置位置は浴槽２６内から風呂リモコン装置１の表示画面が見易く、かつ、設定音声ガイダンスが聞きやすい位置となっている。また、台所リモコン装置２も、台所での作業中でも、その表示画面が見やすく、かつ、設定音声ガイダンスが聞きやすい位置に設定されている。
【００３８】
図５は、本実施形態例の風呂リモコン装置１の外観構成を示すもので、風呂リモコン装置１の筐体ケースの表面側には表示部としての表示画面３２が設けられている。また、表示画面３２の側部には、リモコンの運転をオン、オフする運転スイッチ３５と、給湯器２７の追い焚き運転を指示する追い焚きスイッチ３３と、給湯器２７の自動運転を指示する自動スイッチ３６と、通話スイッチ３８と、スピーカ３４とが設けられている。
【００３９】
さらに、表示画面３２の下側には、給湯や湯張りの温度と浴槽水位を設定する設定スイッチ２８ａ、２８ｂと、給湯温度、湯張り温度、浴槽水位等の各設定モードとを切り替える選択スイッチ２９と、足し湯スイッチ３０と、ぬる湯スイッチ３１とが設けられている。
【００４０】
スイッチ３５、３３、３６、３８には、例えばＬＥＤ（発光ダイオード）等により形成されたランプ３９が設けられており、そのスイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、風呂リモコン装置１の筐体ケースの内部には図示されていないマイクが内蔵されている。
【００４１】
なお、図５において、表示画面３２には、給湯関連情報が表示され、この例では、給湯設定温度（４１℃）と、湯張り設定温度（４１℃）が示されており、また、炎４８のマークを用いて、給湯器２７が燃焼運転している旨の表示が示されている。給湯関連情報とは、例えば、給湯設定温度、湯張り設定温度、湯張り設定水位、風呂温度、湯張り水位、給湯検出温度等の給湯機能の動作と、湯張り機能や保温機能の動作において必要な各種設定値と各種センサ検出値の情報である。また、表示画面３２には時刻表示領域が設けられており、その表示領域に現在の時刻（図５ではＡＭ１０：００）が示されている。
【００４２】
前記給湯設定温度の設定や湯張り温度の設定は、選択スイッチ２９によって給湯温度設定モードまたは湯張り温度の設定モードを選択し、設定スイッチ２８ａ、２８ｂを用いて温度を上下調整することにより達成される。また、湯張りの水位（浴槽水位）を設定する場合も、選択スイッチ２９によって浴槽水位設定モードを選択し、設定スイッチ２８ａ、２８ｂを用いて水位（又は水量）を単位水位（単位水量）ずつ下降させる操作を行って行われる。
【００４３】
運転スイッチ（給湯スイッチ）３５は、スイッチオンとすることにより、風呂リモコン装置１の運転をオン（電源をオン）として回路を動作可能な状態にし、スイッチオフとすることにより、運転をオフして回路動作を停止状態とするものである。給湯器２７の給湯機能の動作はこの運転スイッチ３５がオンの状態で行われる。
【００４４】
自動スイッチ３６は、湯張り動作から保温動作にかけての一連の動作の開始と停止を指令するものであり、スイッチオンによりその動作が開始し、スイッチオフの状態で動作停止状態となる。
【００４５】
内蔵のマイクとスピーカ３４は、通常は、他のリモコン装置との間で会話を行うときに使用されるもので、例えば、入浴中に風呂リモコン装置１と台所リモコン装置２との間で、入浴している者が台所にいる者に浴室にタオルを持ってきてもらう等の要請を行うときの会話に使用される。このような会話を行うときに通話スイッチ３８を押すことにより、通話先の台所リモコン装置２に呼び出し音が発せられ、居間や、台所にいる者に浴室からの会話の要求を知らせることができるものである。
【００４６】
また、スピーカ３４は、自動スイッチ３６がオンとされて自動湯張り動作が終了したときに、「お風呂が沸きました」といった予め設定された設定音声ガイダンスを発信したり、設定音声ガイダンスと共に、確認音や予め設定されている短い音楽を発信したりすることも行う。
【００４７】
図６には台所リモコン装置２の外観構成が示されている。この台所リモコン装置２において、風呂リモコン装置１と共通の構成部分には同一符号を付してある。台所リモコン装置２は、前記した風呂リモコン装置１から、足し湯スイッチ３０、ぬる湯スイッチ３１、追い焚きスイッチ３３を除いた以外は風呂リモコン装置１と同様であるので、その重複説明は省略する。
【００４８】
前記風呂リモコン装置１又は台所リモコン装置２を用いて、図７に示したような給湯器２７の各運転機能の遠隔操作を行うことができる。つまり、いずれかのリモコン装置１，２の運転スイッチ３５をオンし、この状態で給湯管路１１の給湯先に設けられている給湯栓（図示せず）を開くことにより、給湯機能の動作が開始される。この動作は、入水温度センサ６による入水温と、流量センサ４による給湯量に基づき、給湯温度センサ８による給湯温（出湯温）が給湯設定温度となるように、給湯バーナ１０を燃焼し、給湯熱交換器７を通る水を加熱して湯を作成して、給湯管路１１を通して台所や浴室等の給湯先へ湯を供給する。
【００４９】
給湯器２７の自動運転は、湯張り機能の動作、追い焚き機能の動作、保温機能の動作を連続的に行うもので、運転スイッチ３５がオンされている状態で、前記自動スイッチ３６をオンすることにより開始するものであり、注湯電磁弁１３が開かれ、前記給湯機能の動作と同様に給湯熱交換器７を通って加熱された湯が、給湯管路１１から注湯路１４に入り、戻り管２３と往管２４を有して構成される追い焚き循環路２５を通して浴槽２６へ落とし込まれる。
【００５０】
湯張りが完了したときに注湯電磁弁１３が閉じられ、風呂温度センサ１８によって検出される検出温度が湯張り設定温度（風呂設定温度）よりも低いときには追い焚き機能の動作が行われる。なお、追い焚きスイッチ３３が押されたときにも追い焚き機能の動作は行われるものである。この追い焚き機能の動作は、循環ポンプ２１が駆動されて浴槽２６の湯水が追い焚き循環路２５を通して循環されるものである。自動運転の動作においては、引き続き、予め設定された設定時間だけ、浴槽湯水の温度が風呂の設定温度よりも許容範囲を越えて低くならないように、保温機能の動作が行なわれる。
【００５１】
なお、図７において、１２は流量センサ、２２は流水スイッチ、１９は循環ポンプ２１の吐出口と追い焚き熱交換器１５の入水口を連通接続する管路、１７は風呂バーナ１６へのガス通路、４９は水量制御弁をそれぞれ示している。
【００５２】
また、本実施形態例の風呂リモコン装置１と台所リモコン装置２は、図１に示す制御構成を有しており、各リモコン装置１，２は、速報受信検知部５０、地震速報報知手段５１、強制報知手段５３、表示制御部５７、ガイダンス発信指令部５２、強制音声音量アップ手段５９、音量レベル制御手段５４、ガイダンス発信手段５５、メモリ部５６、ガイダンス音量入力設定部５８を有しており、また、前記の如く、運転スイッチ３５、表示画面３２、ランプ３９、スピーカ３４を有している。
【００５３】
なお、本実施形態例において、図２に示すように、台所リモコン装置２は、マンション等における個々の住宅４７のドアホン４６に電気的に接続されており、それにより、風呂リモコン装置１もドアホン４６に電気的に接続されている。
【００５４】
本実施形態例のリモコン装置１，２の特徴は、気象庁４０から緊急地震速報が発信されたときに、緊急地震速報が発せられたことを報知できる構成としたことである。なお、大きな地震が発生した場合に、各住宅４７の住民がマンション等の集合住宅から外に避難する必要性が生じる場合を考慮し、例えば図２に示すように、マンション等の集合住宅の共用部の管理室３７に設けられている受信機４４が緊急地震速報を受信したときには、その信号を、例えば管理室３７の集中管理によって、ドアホン４６に加えることが提案されている。
【００５５】
そこで、本実施形態例では、前記信号を、全住宅４７のドアホン４６を介して台所リモコン装置２に加えるシステムを形成しており、前記信号が通信回線６０を介して台所リモコン装置２に伝えられると、台所リモコン装置２の前記速報受信検知部５０が緊急地震速報の受信を検知する。また、ドアホン４６に伝えられた信号が、台所リモコン装置２と通信回線６１と給湯器２７と通信回線６２を介して風呂リモコン装置１に伝えられるので、風呂リモコン装置１の前記速報受信検知部５０も、緊急地震速報の受信を検知する。
【００５６】
そして、各リモコン装置１，２の速報受信検知部５０は、緊急地震速報の受信を検知すると、その検知信号を、それぞれ、リモコン装置１，２内の地震速報報知手段５１と強制報知手段５３とに加える。
【００５７】
前記強制報知手段５３は、前記運転スイッチ３５がオフの状態のときに速報受信検知部５０が緊急地震速報の受信を検知したときにも、地震速報報知手段５１による緊急地震速報の報知を強制的に行うものであり、速報受信検知部５０から前記検知信号が加えられると、運転スイッチ３５にオン信号を加える。そうすると、この信号が加えられる前に運転スイッチ３５がオフであったときには、運転スイッチ３５がオンとなり、運転がオンとなる。なお、運転スイッチ３５がもともとオンの時には、そのままオンの状態である。このように、各リモコン装置１，２の運転がオンの状態のときに、前記地震速報報知手段５１による緊急地震速報の報知が行われる。
【００５８】
なお、強制報知手段５３は、風呂リモコン装置１がスリープモード中のとき、つまり、風呂リモコン装置１内のＣＰＵ（Central Processing Unit）がスリープモード中のときや、省電力モード中のとき等において、リモコン操作が電源オフに近い状態のときでも、強制的に運転状態にできるように構成してもよい。
【００５９】
地震速報報知手段５１は、速報受信検知部５０が緊急地震速報の受信を検知したときには、前記緊急地震速報が発せられたことを予め設定された音声と表示の少なくとも音声を含む設定態様で報知する。この報知のための一つの方法として、本実施形態例では、地震速報報知手段５１は、緊急地震速報が発せられたことの音声報知のために、地震速報発信指令を、ガイダンス発信指令部５２と強制音声音量アップ手段５９に加える。
【００６０】
ガイダンス発信指令部５２は、予め設定された設定音声ガイダンスの発信指令を行うものであり、前記地震速報報知手段５１から地震速報発信指令が加えられると、地震速報音声ガイダンスの発信指令をガイダンス発信手段５５に加える。ガイダンス発信手段５５は、地震速報音声ガイダンスの発信指令を受けて、例えば「まもなく大きな地震がきます」といった、予め設定されてメモリ部５６に格納されている地震速報音声ガイダンスを取り込み、スピーカ３４から発信させる。
【００６１】
なお、ガイダンス発信指令部５２は、地震速報音声ガイダンスの他に、例えば給湯関連情報や湯張り関連情報等の変更情報が加えられたときや、自動湯張り動作が終了したとき、前記追い焚きスイッチ３３がオンされて浴槽湯水の追い焚きが開始される時等にも、予め定められた設定音声ガイダンスの発信指令をガイダンス発信手段５５に加えるようになっている。そして、この指令に基づき、ガイダンス発信手段５５が、メモリ部５６に予め格納されている設定音声ガイダンスを取り込んで、例えば「湯張りを開始します」といった設定音声ガイダンスをスピーカ３４から発信させる。
【００６２】
ガイダンス音量入力設定部５８は、ガイダンス発信手段５５によって発信する設定音声ガイダンスの発信音量を、利用者による入力設定操作にしたがい設定するものである。本実施形態例において、設定音声ガイダンスの発信音量は段階的に異なる複数のレベル（ここでは、「消音」「小」「中」「大」の４段階）により与えられており、これらのレベルから適宜のレベルが選択され、設定される。
【００６３】
なお、本実施形態例において、風呂リモコン装置１および台所リモコン装置２の前記選択スイッチ２９は、前述の給湯温度等の各設定モードを切り替えることに加え、設定音声ガイダンスの音量設定モードの切り替えも行うように構成されており、利用者は、選択スイッチ２９によって設定音声ガイダンスの音量設定モードを選択し、表示画面３２の表示を、図３に示すような表示として、設定スイッチ２８ａ，２８ｂを押すことにより、音量レベルを上昇又は下降させて設定音声ガイダンスの音量を調節する。
【００６４】
設定スイッチ２８ｂを押すごとに、音量「消音」から「小」へ、「小」から「中」へ、「中」から「大」へというように、音量レベルが１つずつ上昇し、設定スイッチ２８ａを押すごとに、音量「大」から「中」へ、「中」から「小」へ、「小」から「消音」へというように、音量レベルが１つずつ下降するので、表示画面３２に表示される音声レベルを所望の音量レベルにしたところで、選択スイッチ２９を押すと、前記所望の音量レベルで設定音声ガイダンス発信の音量が設定される。そして、この設定値がガイダンス発信手段５５に加えられ、この設定値での設定音声ガイダンスの発信が行われる。
【００６５】
強制音声音量アップ手段５９は、前記ガイダンス音量入力設定部５８によって、前記設定音声ガイダンスの発信音量が「消音」または低音量レベル（例えば、音量「小」）に設定されていたときに、速報受信検知部５０が緊急地震速報の受信を検知したときには、前記設定音声ガイダンスの発信音量を強制的にそれよりも大きくして前記ガイダンス発信手段５５による地震速報音声ガイダンスの発信を行わせるものである。強制音声音量アップ手段５９は、地震速報報知手段５１から音声報知のための信号が加えられると、設定音声ガイダンスの発信音量を強制的に大きくする信号を音量レベル制御手段５４に加える。
【００６６】
音量レベル制御手段５４は、強制音声音量アップ手段５９からの信号を受けて、前記発信音量を前記レベルの内の最大レベル（ここでは、音量「大」）に設定して、地震速報音声ガイダンスをガイダンス発信手段５５により発信させる。
【００６７】
また、地震速報音声ガイダンスの発信音質は、該地震速報音声ガイダンス以外の設定音声ガイダンスの発信音質とは異なる専用発信音質に設定されており、地震速報報知手段５１は、地震速報音声ガイダンスを前記専用発信音質でガイダンス発信手段５５により発信させる。例えば、ガイダンス発信指令部５２は、地震速報音声ガイダンス以外の設定音声ガイダンスをガイダンス発信手段５５により発信させるときには、女性の声によりガイダンスを発信するように指令を加え、地震速報音声ガイダンスをガイダンス発信手段５５により発信させるときには、男性の声によりガイダンスを発信するように指令を加える。
【００６８】
この指令に基づき、ガイダンス発信手段５５は、対応する音質（女性の声または男性の声）の音声ガイダンスを発信する。なお、その逆でもよいし、声の質が異なれば、いずれも女性の声としてもよいし、男性の声としてもよく、さらに、電子的な声等、適宜の音質が設定され、発信される。
【００６９】
さらに、本実施形態例では、ガイダンス発信指令部５２に、地震速報優先発信制御部を設けており、該地震速報優先発信制御部は、ガイダンス発信手段５５が地震速報音声ガイダンス以外の設定音声ガイダンスを発信している途中または、ガイダンス発信手段５５が設定音声ガイダンスの発信指令を受けて前記設定音声ガイダンスの発信を行う直前に、速報受信検知部５０が緊急地震速報の受信を検知したときには、ガイダンス発信手段５５に、地震速報音声ガイダンスを優先させるための優先制御信号を加える。そして、地震速報音声ガイダンス以外の設定音声ガイダンスの発信を停止させて、ガイダンス発信手段５５により地震速報音声ガイダンスを発信させる。
【００７０】
また、前記地震速報報知手段５１は、緊急地震速報が発せられたことを報知するための別の方法として、以下に示すランプ３９の点滅表示と、表示画面３２へのメッセージ表示とを行う。
【００７１】
地震速報報知手段５１は、例えば図４の模式図に示すように、前記複数のスイッチ３５、３３、３６、３８にそれぞれ設けられたランプ３９のうち、予め定められた１つ以上（ここでは全て）のランプ３９の点滅を行わせて、緊急地震速報が発せられたことを報知するランプ点滅制御手段を有しており、このランプ点滅制御信号をランプ３９に加えて、前記ランプ３９を点滅させる。なお、全てのランプ３９を点滅させるのではなく、予め定められた１つ以上の数のランプ３９を適宜点滅させるようにしてもよい。
【００７２】
また、地震速報報知手段５１は、緊急地震速報が発せられたことの表示を表示画面３２による表示により報知する表示制御部を有し、例えば図４に示すように、表示画面３２に、文字によるメッセージ表示を行う。つまり、本実施形態例において、緊急地震速報が発せられたことの表示は、「地震」に関する文字を含む予め定められたメッセージ表示により行う構成としており、このメッセージ表示中の「地震」に関する文字（ここでは、「地震」の文字）を、その他の文字より大きく、かつ、太く表示する態様で、強調して表示する。
【００７３】
また、緊急地震速報が発せられたことのメッセージ表示は、点灯表示により行ってもよいが、メッセージの点滅表示を行うと、より一層利用者の注意を促すことができる。また、メッセージ表示は、固定表示としてもよいし、スクロール表示としてもよい。さらに、表示画面３２がカラー表示機能を有している場合には、緊急地震速報以外の表示とは異なる色を用いたカラー表示により行ってもよいし、特に、「地震」の文字を、赤色等の目立つ色として強調して表示してもよい。このように、緊急地震速報が発せられたことのメッセージ表示の方法は、適宜設定されるものであり、利用者の注意を促し、かつ、利用者により分かりやすい表示とすることが好ましい。
【００７４】
なお、ランプ３９の点滅や表示画面３２へのメッセージ表示は、図４に示したように、風呂リモコン装置１について例を挙げて説明したが、台所リモコン装置２についても同様に行うことができる。
【００７５】
また、前記各表示（ランプ３９や表示画面３２の表示）や音声ガイダンスの出力は、タイマー等を用いて、一定時間が経過したときにオフ（表示や音声の停止）を行うようにしてもよい。
【００７６】
本実施形態例は以上のように構成されており、緊急地震速報が発信されたときに、その緊急地震速報を、給湯器２７に信号接続された風呂リモコン装置１と台所リモコン装置２が報知するので、屋内にいる人が、故意に操作して見聞きしなくても、屋内にいる人に緊急地震速報の発信を知らせることができる。しかも、本実施形態例において、緊急地震速報の発信を報知する方法は、スピーカ３４からの地震速報音声ガイダンスの発信と、複数のランプ３９の点滅表示と、表示画面３２へのメッセージ表示とにより行うため、緊急地震速報の発信を、非常に的確に屋内の人に知らせることができる。
【００７７】
なお、本発明は前記実施形態例に限定されることなく、様々な実施の形態を採り得る。例えば、前記実施形態例では、地震速報報知手段５１は、強制音声音量アップ手段５９に信号を加え、音量レベル制御手段５４により、複数の音量レベルのうちの最大レベルに設定して地震速報音声ガイダンスをガイダンス発信手段５５により発信させるようにしたが、地震速報音声ガイダンスの発信レベルは特に限定されるものではなく、低音量レベルよりも大きい適宜のレベルに設定されるものである。
【００７８】
例えば、地震速報音声ガイダンスの発信音量を、該地震速報音声ガイダンス以外の設定音声ガイダンスを発信する最大発信音量よりも大きい専用発信音量に設定し、地震速報報知手段５１は、地震速報音声ガイダンスを前記専用発信音量でガイダンス発信手段により発信させるようにしてもよい。
【００７９】
また、前記実施形態例では、地震速報報知手段５１は、地震速報音声ガイダンスを、地震速報音声ガイダンス以外の設定音声ガイダンスの発信音質とは異なる専用発信音質でガイダンス発信手段５５により発信させるようにしたが、地震速報音声ガイダンスを、地震速報音声ガイダンス以外の設定音声ガイダンスの発信音質と同じ音質でガイダンス発信手段５５により発信させてもよい。
【００８０】
さらに、地震速報報知手段５１は、ガイダンス発信手段５５による地震速報音声ガイダンスの発信を、予め設定された複数の設定回数だけ繰り返し行わせるようにしてもよい。この場合、地震速報音声ガイダンスの発信を固定のレベルで行ってもよいが、前記実施形態例のように、設定音声ガイダンスの発信音量が段階的に異なる複数のレベルにより与えられている場合には、地震速報報知手段５１に音量レベル可変制御手段を設け、この音量レベル制御手段によって、前記地震速報音声ガイダンス発信の繰り返し回数が増える毎に前記発信音量を大きいレベルにして発信させるようにしてもよい。
【００８１】
さらに、前記実施形態例では、ガイダンス発信指令部５２が地震速報優先発信制御部を有していたが、地震速報優先発信制御部を省略し、ガイダンス発信手段５５が地震速報音声ガイダンス以外の設定音声ガイダンスを発信している途中または、ガイダンス発信手段５５が設定音声ガイダンスの発信指令を受けて前記設定音声ガイダンスの発信を行う直前に、速報受信検知部５０が緊急地震速報の受信を検知したときには、ガイダンス発信手段５５による設定音声ガイダンスの発信後に、地震速報音声ガイダンスを発信させてもよい。
【００８２】
さらに、前記実施形態例では、速報受信検知部５０が緊急地震速報の受信を検知したときに、音声と、ランプ３９の点滅と、表示画面３２へのメッセージ表示とを行うようにしたが、これらの音声を含む１つ以上により、緊急地震速報を報知してもよい。
【００８３】
さらに、前記実施形態例では、給湯器２７の制御装置３を介して風呂リモコン装置１と台所リモコン装置２とを電気的に接続する例を述べたが、さらに、例えば洗面所等に設けられる増設のリモコン装置を、制御装置３を介して風呂リモコン装置１や台所リモコン装置２と電気的に接続してもよい。この場合、増設リモコンにも、風呂リモコン装置１や台所リモコン装置２と同様に、速報受信検知部５０や地震速報報知手段５１等を設けて、緊急地震速報の受信の検知と、その緊急地震速報の報知とを行えるようにしてもよい。
【００８４】
さらに、本発明のリモコン装置は、緊急地震速報の受信の検知と、その緊急地震速報の報知とを行えるものであれば、その他の機能の詳細は特に限定されるものではなく、適宜設定されるものであり、例えばラジオ放送や文字放送の受信および再生の機能を有していても、有していなくてもよいし、テレビ放送等の他の放送受信機能やインターホン機能等の付加機能付きのものでもよい。
【００８５】
さらに、前記実施形態例ではリモコン装置が接続される給湯器２７はガスを燃料とした給湯器としたが、給湯器等の熱源装置の熱源は、ガス、石油、電気を問わず、また、貯湯式のものでも構わない。また、前記実施形態例では、給湯器２７は、給湯機能、湯張り機能、保温機能、追い焚き機能、足し湯機能、ぬる湯機能を具備していたが、これらの全ての機能を具備していなくてもよく、また、他の機能を具備していてもよい。
【００８７】
さらに、前記実施形態例では、リモコン装置をマンション等の集合住宅の各住宅４７に設ける例を挙げたが、リモコン装置は、オフィス等に設けてもよい。
【００８８】
さらに、前記実施形態例では、図２に示したような緊急地震速報の伝達システムを適用し、速報受信検知部５０が、受信機４４側からドアホン４６に加えられる信号を受けて緊急地震速報の受信を検知するようにしたが、緊急地震速報の伝達システムの構成や、緊急地震速報の受信の検知方法は適宜設定されるものである。例えば、各住宅４７に緊急地震速報が安価で配信されるようになった場合に、その配信信号を速報受信検知部５０が受けて、緊急地震速報の受信を検知してもよい。
【００８９】
さらに、前記実施形態例では、ドアホン４６に加えられる信号を、給湯器２７の制御装置３を介して風呂リモコン装置１に加えるようにしたが、前記信号を、給湯器２７を介さずに直接、風呂リモコン装置１に加えるようにし、風呂リモコン装置１により単独で信号処理を行うようにしてもよい。
【００９０】
さらに、各住宅において、ドアホン４６の近くに台所リモコン装置２が配置されている場合があり、このような場合に、ドアホン４６と台所リモコン装置２の両方が同時に地震速報を音声出力により報知すると、かえって、地震速報が利用者に伝わらない可能性がある。そこで、例えばドアホン４６と台所リモコン装置２の配置形態によっては、台所リモコン装置２での地震速報の音声出力による報知は行わず、風呂リモコン装置１（あるいは、風呂リモコン装置１と増設リモコン装置）により行うようにしてもよい。この場合、例えば、台所リモコン装置２に地震速報の音声出力のオンオフの選択手段を設けて、必要に応じて、台所リモコン装置２の地震速報の音声出力をオフにするとよい。
【図面の簡単な説明】
【００９１】
【図１】本発明に係るリモコン装置の一実施形態例における緊急地震速報の受信と報知のための制御構成を示すブロック構成図である。
【図２】前記実施形態例のリモコン装置を用いた地震速報伝達システムの例を示すブロック図である
【図３】前記実施形態例のリモコン装置における設定音声ガイダンスの音量設定の仕方を説明するための説明図である。
【図４】前記実施形態例の風呂リモコン装置の表示画面に緊急地震速報が表示されている状態を示す図である。
【図５】前記実施形態例の風呂リモコン装置の表示画面に給湯関連速報が表示されている状態を示す図である。
【図６】前記実施形態例の台所リモコン装置の表示画面に給湯関連情報が表示されている状態を示す図である。
【図７】モデル例の給湯器と風呂用および台所用のリモコン装置との接続使用状況を示す図である。
【図８】地震速報伝達のためのシステム例を示すブロック図である。
【符号の説明】
【００９２】
１      風呂リモコン装置
２      台所リモコン装置
３      制御装置
２７    給湯器
２９    選択スイッチ
３２    表示画面
４０    気象庁
５０    速報受信検知部
５１    地震速報報知手段
５２    ガイダンス発信指令部
５３    強制報知手段
５４    音量レベル制御手段
５５    ガイダンス発信手段
５６    メモリ部
５７    表示制御部
５８    ガイダンス音量入力設定部
５９    強制音声音量アップ手段
【図１】
0005247082.tif 000002
【図２】
0005247082.tif 000003
【図３】
0005247082.tif 000004
【図４】
0005247082.tif 000005
【図５】
0005247082.tif 000006
【図６】
0005247082.tif 000007
【図７】
0005247082.tif 000008
【図８】
0005247082.tif 000009